(57)【要約】【課題】生理期間の憂鬱な気分を緩和できる生理用ナプキンを提供すること。【解決手段】吸収コア（１１）と、前記吸収コア（１１）より肌側に設けられた肌側シート（２）と、前記吸収コア（１１）より非肌側に設けられた非肌側シート（４）と、を有する生理用ナプキン（１）であって、ムスク系の香料成分（３１）を有することを特徴とする生理用ナプキン。【選択図】図２
0003225557.tif 000002
【実用新案登録請求の範囲】
【請求項１】
吸収コアと、
前記吸収コアより肌側に設けられた肌側シートと、
前記吸収コアより非肌側に設けられた非肌側シートと、
を有する生理用ナプキンであって、
ムスク系の香料成分を有することを特徴とする生理用ナプキン。
【請求項２】
請求項１に記載の生理用ナプキンであって、
前記吸収コアより肌側に前記ムスク系の香料成分が配置されていることを特徴とする生理用ナプキン。
【請求項３】
請求項２に記載の生理用ナプキンであって、
前記肌側シートの非肌側面に前記ムスク系の香料成分が配置されていることを特徴とする生理用ナプキン。
【請求項４】
請求項１から３の何れか１項に記載の生理用ナプキンであって、
抗菌成分を有することを特徴とする生理用ナプキン。
【請求項５】
請求項４に記載の生理用ナプキンであって、
前記抗菌成分は、前記生理用ナプキンの厚み方向において、前記ムスク系の香料成分が配置されている部位より非肌側に配置されていることを特徴とする生理用ナプキン。
【請求項６】
請求項１から５の何れか１項に記載の生理用ナプキンであって、
前記吸収コア及び前記肌側シートの少なくとも一方がその厚み方向に窪んでいる圧搾部を有し、
前記生理用ナプキンの平面視において、前記ムスク系の香料成分が配置されている領域は、前記圧搾部と重なる領域を有することを特徴とする生理用ナプキン。
【請求項７】
請求項１から６の何れか１項に記載の生理用ナプキンであって、
前記肌側シートはその厚み方向に貫通する開孔部を有し、
前記ムスク系の香料成分は、前記生理用ナプキンの厚み方向において、前記肌側シートの肌側面より非肌側に配置されていることを特徴とする生理用ナプキン。
【請求項８】
吸収コアと、
前記吸収コアより肌側に設けられた肌側シートと、
前記吸収コアより非肌側に設けられた非肌側シートと、
を有する生理用ナプキンであって、
ムスク系の香料成分と、抗菌成分と、を有することを特徴とする生理用ナプキン。
【請求項９】
吸収コアと、
前記吸収コアより肌側に設けられた肌側シートと、
前記吸収コアより非肌側に設けられた非肌側シートと、
を有する生理用ナプキンであって、
ムスク系の香料成分と、
少なくとも前記吸収コアがその厚み方向に窪んでいる圧搾部と、を有し、
前記生理用ナプキンの平面視において、前記ムスク系の香料成分が配置されている領域は、前記圧搾部と重なる領域を有することを特徴とする生理用ナプキン。
【請求項１０】
吸収コアと、
前記吸収コアより肌側に設けられた肌側シートと、
前記吸収コアより非肌側に設けられた非肌側シートと、
を有する生理用ナプキンであって、
前記肌側シートはその厚み方向に貫通する開孔部を有し、
前記ムスク系の香料成分は、前記生理用ナプキンの厚み方向において、前記肌側シートの肌側面より非肌側に配置されていることを特徴とする生理用ナプキン。
【考案の詳細な説明】
【技術分野】
【０００１】
本考案は、生理用ナプキンに関する。
【背景技術】
【０００２】
特許文献１には、表面シート、裏面シート、及びこれらの間に配される吸収体を含み、吸収体が、香料の塗布された香料塗布領域を有しているパンティライナー（吸収性物品）が開示されている。
【先行技術文献】
【特許文献】
【０００３】
【特許文献１】特開２０１８−１６６９４０号
【考案の概要】
【考案が解決しようとする課題】
【０００４】
吸収性物品である生理用ナプキンには経血等が吸収保持される。そのため、使用中のナプキンに対して衛生的ではない印象が抱かれやすく、ナプキンの使用者は憂鬱な気分となりやすい。特許文献１では、吸収体が有する香料として、バラ、ラベンダー、ジャスミン、イランイラン様香気が挙げられている。しかし、これらの香りでは、ナプキンの使用者の憂鬱な気分を和らげるには不十分な場合がある。
【０００５】
本考案は、上記のような従来の問題に鑑みてなされたものであって、その目的は、生理期間の憂鬱な気分を緩和できる生理用ナプキンを提供することにある。
【課題を解決するための手段】
【０００６】
上記目的を達成するための主たる考案は、吸収コアと、前記吸収コアより肌側に設けられた肌側シートと、前記吸収コアより非肌側に設けられた非肌側シートと、を有する生理用ナプキンであって、ムスク系の香料成分を有することを特徴とする生理用ナプキンである。
本考案の他の特徴については、本明細書及び添付図面の記載により明らかにする。
【考案の効果】
【０００７】
本考案によれば、生理期間の憂鬱な気分を緩和できる生理用ナプキンを提供することができる。
【図面の簡単な説明】
【０００８】
【図１】生理用ナプキン１を肌側から見た平面図である。
【図２】ナプキン１の概略断面図である。
【図３】香料配置部３０を説明するナプキン１の概略平面図である。
【図４】肌側シート２及び香料配置部３０を説明するナプキン１の概略断面図である。
【考案を実施するための形態】
【０００９】
本明細書及び添付図面の記載により、少なくとも以下の事項が明らかとなる。
吸収コアと、前記吸収コアより肌側に設けられた肌側シートと、前記吸収コアより非肌側に設けられた非肌側シートと、を有する生理用ナプキンであって、ムスク系の香料成分を有することを特徴とする生理用ナプキン。
【００１０】
このような生理用ナプキンによれば、使用者はムスク系の香りを嗅ぐことで、ナプキンに対する衛生的ではない印象を軽減でき、憂鬱な気分が緩和される。特にイスラム圏の使用者には、最もピュアな香水はムスクであり、身体を清めた後にムスクの香りを付けるとピュアになるとの信仰がある。そのため、ムスクの香料成分を有するナプキンを使用することで、身体が浄化される感覚が得られ、生理期間も安心して過ごすことができる。
【００１１】
かかる生理用ナプキンであって、前記吸収コアより肌側に前記ムスク系の香料成分が配置されていることを特徴とする生理用ナプキン。
【００１２】
このような生理用ナプキンによれば、ムスク系の香料成分が使用者に向かって放出されやすく、使用者がムスク系の香料成分をより感じやすくなる。
【００１３】
かかる生理用ナプキンであって、前記肌側シートの非肌側面に前記ムスク系の香料成分が配置されていることを特徴とする生理用ナプキン。
【００１４】
このような生理用ナプキンによれば、ムスク系の香料成分が直接肌に触れ難く、使用者の肌を刺激してしまうことを抑制しつつ、使用者がムスク系の香料成分をより感じやすくなる。
【００１５】
かかる生理用ナプキンであって、抗菌成分を有することを特徴とする生理用ナプキン。
【００１６】
このような生理用ナプキンによれば、使用中のナプキンを出来る限り清潔な状態に保つことができる。よって、ムスク系の香料成分及び抗菌成分によって、使用者はナプキンに対する衛生的ではない印象を軽減でき、憂鬱な気分がより緩和される。
【００１７】
かかる生理用ナプキンであって、前記抗菌成分は、前記生理用ナプキンの厚み方向において、前記ムスク系の香料成分が配置されている部位より非肌側に配置されていることを特徴とする生理用ナプキン。
【００１８】
このような生理用ナプキンによれば、ムスク系の香料成分が肌側に設けられるため、使用者はムスク系の香料成分を感じやすくなる。また、排泄物が吸収保持される吸収コアの近くに抗菌成分が配置されるため、ナプキンの使用経過に伴う菌の増殖をより抑制できる。
【００１９】
かかる生理用ナプキンであって、前記吸収コア及び前記肌側シートの少なくとも一方がその厚み方向に窪んでいる圧搾部を有し、前記生理用ナプキンの平面視において、前記ムスク系の香料成分が配置されている領域は、前記圧搾部と重なる領域を有することを特徴とする生理用ナプキン。
【００２０】
このような生理用ナプキンによれば、繊維密度の高い圧搾部には、ムスク系の香料成分が保持されやすく、排泄物が移行しやすい。そのため、排泄物の臭いをムスク系の香料成分によって効率よくマスキングできる。
【００２１】
かかる生理用ナプキンであって、前記肌側シートはその厚み方向に貫通する開孔部を有し、前記ムスク系の香料成分は、前記生理用ナプキンの厚み方向において、前記肌側シートの肌側面より非肌側に配置されていることを特徴とする生理用ナプキンである。
【００２２】
このような生理用ナプキンによれば、ムスク系の香料成分が直接肌に触れ難く、使用者の肌を刺激してしまうことを抑制できる。また、肌側シートの開孔部からムスク系の香料成分が使用者に向かって放出されやすく、使用者がムスク系の香料成分を感じやすくなる。
【００２３】
また、吸収コアと、前記吸収コアより肌側に設けられた肌側シートと、前記吸収コアより非肌側に設けられた非肌側シートと、を有する生理用ナプキンであって、ムスク系の香料成分と、抗菌成分と、を有することを特徴とする生理用ナプキン。
【００２４】
このような生理用ナプキンによれば、ムスク系の香料成分及び抗菌成分によって、使用者はナプキンに対する衛生的ではない印象を軽減でき、憂鬱な気分がより緩和される。
【００２５】
また、吸収コアと、前記吸収コアより肌側に設けられた肌側シートと、前記吸収コアより非肌側に設けられた非肌側シートと、を有する生理用ナプキンであって、ムスク系の香料成分と、少なくとも前記吸収コアがその厚み方向に窪んでいる圧搾部と、を有し、前記生理用ナプキンの平面視において、前記ムスク系の香料成分が配置されている領域は、前記圧搾部と重なる領域を有することを特徴とする生理用ナプキン。
【００２６】
このような生理用ナプキンによれば、ムスク系の香料成分によって、使用者はナプキンに対する衛生的ではない印象を軽減でき、憂鬱な気分がより緩和される。また、繊維密度の高い圧搾部には、ムスク系の香料成分が保持されやすく、排泄物が移行しやすい。そのため、排泄物の臭いをムスク系の香料成分によって効率よくマスキングできる。
【００２７】
吸収コアと、前記吸収コアより肌側に設けられた肌側シートと、前記吸収コアより非肌側に設けられた非肌側シートと、を有する生理用ナプキンであって、前記肌側シートはその厚み方向に貫通する開孔部を有し、前記ムスク系の香料成分は、前記生理用ナプキンの厚み方向において、前記肌側シートの肌側面より非肌側に配置されていることを特徴とする生理用ナプキン。
【００２８】
このような生理用ナプキンによれば、ムスク系の香料成分によって、使用者はナプキンに対する衛生的ではない印象を軽減でき、憂鬱な気分がより緩和される。また、ムスク系の香料成分が直接肌に触れ難く、使用者の肌を刺激してしまうことを抑制しつつ、肌側シートの開孔部からムスク系の香料成分が使用者に向かって放出されやすく、使用者がムスク系の香料成分を感じやすくなる。
【００２９】
＝＝＝実施形態＝＝＝
＜生理用ナプキン１の基本構成＞
図１は、生理用ナプキン１（以下「ナプキン」とも呼ぶ）を肌側から見た平面図である。図２は、ナプキン１の概略断面図である。ナプキン１は、互いに直交する長手方向と幅方向と厚み方向を有する。厚み方向において着用者の肌に当接する側が肌側であり、その反対側が非肌側である。
【００３０】
ナプキン１は、吸収体１０、肌側シート２、中間シート３、非肌側シート４、及びサイドシート５を有する。肌側シート２は、吸収体１０（吸収コア１１）より肌側に配置された液透過性のシートである。中間シート３は、肌側シート２と吸収体１０の間に配置された液透過性のシートである。非肌側シート４は、吸収体１０（吸収コア１１）より非肌側に配置された液不透過性のシートである。液透過性のシートとしては、エアスルー不織布等を例示できる。液不透過性のシートとしては、ポリエチレン（ＰＥ）の樹脂フィルム等を例示できる。サイドシート５は、肌側シート２の肌側面の幅方向の両側部から外側に延出したシートである。サイドシート５としては、疎水性のエアスルー不織布や疎水性のスパンボンド不織布等を例示できる。
【００３１】
吸収体１０は、排泄物を吸収して内部に保持する部材である。吸収体１０は、吸収コア１１と、吸収コア１１を覆う液透過性のコアラップシート１２を有する。吸収コア１１としては、パルプ繊維やセルロース系吸収性繊維等の液体吸収性繊維に、高吸収性ポリマー（ＳＡＰ）が加えられ、所定の形状に成形されたものを例示できる。コアラップシート１２は、液透過性のシートであり、ティッシュ等を例示できる。その他、吸収コアとしては、親水性のシートにＳＡＰ層を付着させたＳＡＰシートや、液体吸収性繊維をエアレイド法によってシート状に成形したエアレイドシート等を例示できる。また、吸収体１０はコアラップシート１２を有していなくてもよい。また、コアラップシート１２は、図２に示すように吸収コア１１全体を包むように設けられるに限らず、例えば吸収コア１１の肌側面と非肌側面のうちの一方を覆うように設けられていてもよい。
【００３２】
また、ナプキン１は、長手方向の略中央部において、幅方向の外側に延出した一対のウィング部１ｗを有する。ウィング部１ｗは、サイドシート５と非肌側シート４によって形成されている。
【００３３】
また、ナプキン１は、吸収コア１１及び肌側シート２の少なくとも一方がその厚み方向に窪んでいる圧搾部２０を有している。圧搾部２０によって、吸収体１０の型崩れを防止したり、ナプキン１の液拡散性を向上させたりすることができる。
【００３４】
圧搾部２０では、周囲に比べてナプキン１の厚みが薄く、ナプキン１の繊維密度が高くなっている。これらの比較は周知の方法で行うとよい。ナプキン１の厚みの比較としては、目視で比較する方法や、ミツトヨ（株）製のダイアルシックネスゲージＩＤ−Ｃ１０１２Ｃ又はそれと同等のものを使用し、対象部位を例えば３．０ｇｆ／ｃｍ２で加圧して測定した値を取得して比較する方法を例示できる。ナプキン１の密度の比較としては、ナプキン１を厚み方向に切った断面を電子顕微鏡等で拡大した画像に基づき比較する方法を例示できる。
【００３５】
また、図１に示す圧搾部２０は、着用状態において着用者の排泄口が当接すると考えられる領域を囲むような形状である内側線状圧搾部２１と、内側線状圧搾部２１を囲む形状である外側線状圧搾部２２とを有する。内側線状圧搾部２１は、肌側シート２、中間シート３及び吸収体１０が厚み方向に圧縮されて、それらが接合一体化されたものである。外側線状圧搾部２２は、肌側シート２及び中間シート３が厚み方向に圧縮されて、それらが接合一体化されたものである。
【００３６】
なお、圧搾部２０は、長手方向や幅方向に連続して厚み方向に窪んでいてもよく（溝状でもよく）、また、複数の点状圧搾部が線状に並び、非連続に厚み方向に窪んでいてもよい。また、圧搾部２０の形状は図１に示すものに限定されない。例えば複数の点状圧搾部が離散的に配置されたものでもよい。
【００３７】
また、図１に示すナプキン１の構成は一例であり、これに限定されない。例えば、ウィング部１ｗを有さないナプキンでもよい。また、本考案に係る生理用ナプキンは、本実施形態のナプキン１のような下着に貼付されるタイプに限らず、ショーツ型のナプキンであってもよい。
【００３８】
＜香料配置部３０＞
図３は、香料配置部３０を説明するナプキン１の概略平面図である。図４は、肌側シート２及び香料配置部３０を説明するナプキン１の概略断面図である。
【００３９】
ナプキン１は、ムスク系の香料成分３１を有するものとする。本実施形態では、肌側シート２の非肌側面に、ムスク系の香料成分３１が配置された香料配置部３０が設けられている。
【００４０】
ムスク系の香料成分３１は、石鹸のような香りと表現されることがある。そのため、ナプキン１がムスク系の香料成分３１を有することで、ナプキン１の使用者は石鹸のような清潔感のある香りを嗅ぐことができる。また、排泄物（経血等）の不快な臭いがムスク系の香料成分３１によってマスキングされる。よって、ナプキン１に対する衛生的ではない印象を軽減でき、ナプキン１の使用者の憂鬱な気分を緩和できる。特にイスラム圏の使用者には、最もピュアな香水はムスクであり、身体を清めた後にムスクの香りを付けるとピュアになるとの信仰がある。そのため、ムスクの香料成分を有するナプキンを使用することで、身体が浄化される感覚が得られ、生理期間も安心して過ごすことができる。
【００４１】
なお、ムスク系の香料成分３１とは、ジャコウジカ等の動物由来の天然ムスクであってもよいし、ムスク調の香料となるように成分を配合した合成ムスクでもよい。合成ムスクとしては、エチレンブラシレート、シクロペンタデカノリド、パーライド、ガラクソリド、ムスクケトン、ムスコン、シベトン、アンブレットリド等の大環状ムスク、ファンソリド、トナリド、ガラクソリド等の多環状ムスク、その他ムスクピリジン、ピリジノファン、エチルシトロネリルオギザレート等の香料を単独又は複数混合したものを例示できる。また、香料成分を水や有機溶剤（例えばクエン酸トリエチルやエタノール、ジプロピレングリコール、イソプロピルミリステート）等で希釈して用いてもよい。
【００４２】
また、ナプキン１は不図示の包装シートによって個別に包装されていることが好ましい。そうすることで、ナプキン１の使用前にムスク系の香料成分３１が揮発してしまうことを抑制できる。
【００４３】
また、ナプキン１の平面視において、香料配置部３０は、図３に示すように肌側シート２の全域に亘り設けられていてもよいし、肌側シート２の一部に設けられていてもよい。また、香料配置部３０において、ムスク系の香料成分３１は、全面配置（例えばべた塗り）されていてもよいし、ストライプパターンやドットパターン等の各種公知の塗布パターンで塗布されていてもよい。また、ムスク系の香料成分３１の配置は、噴霧法やローラーコート法、刷毛塗り法等の各種公知の塗布方法で行ったり、シートを浸漬したりする方法が挙げられる。また、ムスク系の香料成分３１の配置は、ナプキン１の製造過程でシートに塗布してもよいし、ムスク系の香料成分３１を予め含浸したシートを用いてナプキン１を製造してもよい。また、ナプキン１には、ムスク系の香料成分３１を含む液状物を配置してもよいし、ムスク系の香料成分３１を吸収させた粉状物を配置してもよい。
【００４４】
また、ナプキン１がムスク系の香料成分３１を有することや香料配置部３０が設けられている箇所の確認は、開封直後のナプキン１をヒトが直接嗅いで確認するとよい。また、竹炭やココアパウダーなどの有色の細かい粒子を、ムスク系の香料成分３１が配置された付近に撒いた後に、粒子を払う方法がある。ムスク系の香料成分３１が配置された部分には粒子が多く付着するため、ムスク系の香料成分３１が配置されていること及び配置箇所を確認できる。
【００４５】
また、図２に示すように、ナプキン１の厚み方向において、吸収コア１１より肌側にムスク系の香料成分３１が配置されていることが好ましい。すなわち、肌側シート２、中間シート３、サイドシート５、及び吸収コア１１より肌側のコアラップシート１２の部位のうちの、少なくとも何れか１つに香料配置部３０が設けられているとよい。
【００４６】
ナプキン１は肌側面を上にして下着に貼付される。そのため、上記のように香料配置部３０が設けられることで、ムスク系の香料成分３１がナプキン１の使用者に向かって放出されやすくなる。よって、ナプキン１の使用者はムスク系の香料成分３１を感じやすくなる。また、吸収コア１１に保持される排泄物を香料配置部３０で覆うことになる。そのため、ムスク系の香料成分３１による排泄物の臭いのマスキング効果を高めることができる。
【００４７】
特に、肌側シート２の非肌側面にムスク系の香料成分３１が配置されていることが好ましい。そうすることで、ムスク系の香料成分３１がより肌側に設けられ、ナプキン１の使用者はムスク系の香料成分３１を感じやすくなる。また、ナプキン１の肌側面にムスク系の香料成分３１が配置されている場合に比べて、ムスク系の香料成分３１が着用者の肌に直接触れにくく、着用者の肌を刺激してしまうことを抑制できる。
【００４８】
ただし、上記に限定されず、香料配置部３０は、肌側シート２の肌側面に設けられていてもよい。また、香料配置部３０は吸収コア１１より肌側に設けられるに限らず、吸収コア１１や、吸収コア１１より非肌側のコアラップシート１２の部位や、非肌側シート４に設けられていてもよい。
【００４９】
さらに、ナプキン１は抗菌成分４０を有することが好ましい。そうすることで、ナプキン１が吸収した排泄物による菌の増殖を抑制でき、抗菌成分４０を有さないナプキンに比べて、ナプキン１を清潔に保つことができる。よって、本実施形態のナプキン１によれば、浄化作用があると信仰されているムスク系の香料成分３１に加え、抗菌成分４０によってもナプキン１に対する不浄な印象を軽減できる。そのため、ナプキン１の使用者の憂鬱な気分をより一層緩和できる。
【００５０】
抗菌成分４０としては、塩化ベンザルコニウム、塩化セチルピリジニウム、塩化ベンゼトニウム、ポリアミノプロピルビグアニド、パラベン等を例示できる。抗菌成分４０を水や有機溶剤等で希釈して用いてもよい。また、ナプキン１が抗菌成分４０を有することや抗菌成分４０が配置されている箇所の確認は、周知の方法で行うとよい。例えば、塩化ベンザルコニウム液を用いた場合、検査用の試薬としてブロモフェノールブルー塩基性溶液（０．１ｍｏｌ／Ｌの水酸化ナトリウム試薬５０ｍＬと、０．０５％のブロモフェノールブルー水溶液２０ｍＬとを混合したもの）を噴霧し、試薬の色が紫色から青色へと変化した場合には、抗菌成分４０が含まれていると判定できる。
【００５１】
また、図２に示すように、抗菌成分４０は、ナプキン１の厚み方向において、ムスク系の香料成分３１が配置されている部位より非肌側に配置されていることが好ましい。本実施形態のように肌側シート２の非肌側面に香料配置部３０が設けられている場合、中間シート３、コアラップシート１２、吸収コア１１、及び非肌側シート４のうちの、少なくとも何れか１つに抗菌成分４０が配置されているとよい。本実施形態では、コアラップシート１２に抗菌成分４０が配置されている。
【００５２】
そうすることで、ムスク系の香料成分３１は肌側に配置されるため、使用者に向かって放出されやすくなる。また、ムスク系の香料成分３１の肌側への放出が抗菌成分４０によって疎外されてしまうことを防止できる。よって、ナプキン１の使用者はムスク系の香料成分３１をより感じやすくなる。また、吸収コア１１が保持する排泄物のより近い位置に抗菌成分４０を配置できる。よって、ナプキン１の使用経過に伴う菌の増殖を抑制できる。
【００５３】
なお、図２では、吸収コア１１全体を包むコアラップシート１２の全面に亘り抗菌成分４０が配置されているが、これに限らない。例えば吸収コア１１よりも肌側又は非肌側のコアラップシート１２の一部にのみ抗菌成分４０を配置してもよい。また、図２に示すようにコアラップシート１２の外側面に抗菌成分４０を配置してもよいし、コアラップシート１２の吸収コア１１側の内側面に抗菌成分４０を配置してもよい。
【００５４】
また、図示しないが、本実施形態では、ナプキン１の平面視において、コアラップシート１２の全域に亘り抗菌成分４０が配置されるとするが、これに限らず、コアラップシート１２の一部に抗菌成分４０が配置されていてもよい。ただし、ナプキン１の平面視において抗菌成分４０の配置された領域が吸収コア１１と重なる領域を有するとよい。そうすることで、排泄物が排泄されて吸収される領域に抗菌成分４０が設けられるため、排泄物の菌の増殖をより抑制できる。
【００５５】
また、抗菌成分４０が配置される領域に、抗菌成分４０が全面配置（例えばべた塗り）されていてもよいし、各種公知の塗布パターンで塗布されていてもよい。また、抗菌成分４０の配置は、噴霧法やローラーコート法、刷毛塗り法等の各種公知の塗布方法で行ったり、シートを浸漬したりする方法が挙げられる。また、抗菌成分４０の配置は、ナプキン１の製造過程でシートに塗布してもよいし、抗菌成分４０を予め含浸したシートを用いてナプキン１を製造してもよい。また、ナプキン１には、抗菌成分４０を含む液状物を配置してもよいし、抗菌成分４０を吸収させた粉状物を配置してもよい。
【００５６】
ただし、上記に限定されず、ナプキン１は抗菌成分４０を有していなくてもよい。また、ムスク系の香料成分３１より肌側に抗菌成分４０が設けられていてもよい。
【００５７】
また、図３に示すように、ナプキン１の平面視において、ムスク系の香料成分３１が配置されている領域（香料配置部３０）は、圧搾部２０と重なる領域を有することが好ましい。
【００５８】
圧搾部２０では、周囲に比べて、肌側シート２や吸収コア１１の繊維密度が高くなっている。そのため、圧搾部２０では、毛細管現象により、ムスク系の香料成分３１が保持されやく、排泄物が圧搾部２０に移行しやすい。よって、圧搾部２０に引き込まれた排泄物をムスク系の香料成分で効率的にマスキングでき、使用中のナプキン１の不快な臭いをさらに軽減できる。
【００５９】
ただし上記に限定されず、ナプキン１は圧搾部２０を有していなくてもよい。また、ナプキン１の平面視において圧搾部２０が香料配置部３０と重複していなくてもよい。
【００６０】
また、本実施形態では肌側シート１の非肌側面にムスク系の香料成分３０が配置されている。このように、ムスク系の香料成分３０が、ナプキン１の厚み方向において、肌側シート２の肌側面より非肌側に配置されている場合、肌側シート２はその厚み方向に貫通する開孔部Ｈを有するとよい。
【００６１】
そうすることで、ムスク系の香料成分３０がナプキン１の内部から肌側シート２の開孔部Ｈを通り、ナプキン１の使用者に向かって放出されやすくなる。よって、ナプキン１の使用者はムスク系の香料成分３１を感じやすくなる。また、ムスク系の香料成分３１が着用者の肌に直接触れにくく、着用者の肌を刺激してしまうことを抑制できる。
【００６２】
本実施形態の開孔部Ｈは、図４に示すように、肌側シート２から吸収体１０までピン等を突き刺すことによって形成されている。開孔部Ｈによって、排泄物が吸収体１０へ移行しやすくなり、排泄物が漏れ難くなる効果も得られる。
【００６３】
ただし上記に限定されず、肌側シート２は開孔部Ｈを有していなくてもよい。また、開孔部Ｈは吸収体１０に達する深さに限らず、少なくとも肌側シートＨを貫通する深さであればよい。
【００６４】
以上、本考案の実施形態について説明したが、上記の実施形態は、本考案の理解を容易にするためのものであり、本考案を限定して解釈するためのものではない。また、本考案は、その趣旨を逸脱することなく、変更や改良され得るとともに、本考案にはその等価物が含まれるのは言うまでもない。
【符号の説明】
【００６５】
１  ナプキン（生理用ナプキン）、１ｗ  ウィング部、
２  肌側シート、３  中間シート、４  非肌側シート、
５  サイドシート、
１０  吸収体、１１  吸収コア、１２  コアラップシート、
２０  圧搾部、
３０  香料配置部、３１  ムスク系の香料成分、
４０  抗菌成分、
Ｈ  開孔部、
【図１】
0003225557.tif 000003
【図２】
0003225557.tif 000004
【図３】
0003225557.tif 000005
【図４】
0003225557.tif 000006
【手続補正書】
【提出日】令和2年1月20日(2020.1.20)
【手続補正１】
【補正対象書類名】実用新案登録請求の範囲
【補正対象項目名】全文
【補正方法】変更
【補正の内容】
【実用新案登録請求の範囲】
【請求項１】
吸収コアと、
前記吸収コアより肌側に設けられた肌側シートと、
前記吸収コアより非肌側に設けられた非肌側シートと、
を有する生理用ナプキンであって、
ムスク系の香料成分を有することを特徴とする生理用ナプキン。
【請求項２】
請求項１に記載の生理用ナプキンであって、
前記吸収コアより肌側に前記ムスク系の香料成分が配置されていることを特徴とする生理用ナプキン。
【請求項３】
請求項２に記載の生理用ナプキンであって、
前記肌側シートの非肌側面に前記ムスク系の香料成分が配置されていることを特徴とする生理用ナプキン。
【請求項４】
請求項１から３の何れか１項に記載の生理用ナプキンであって、
抗菌成分を有することを特徴とする生理用ナプキン。
【請求項５】
請求項４に記載の生理用ナプキンであって、
前記抗菌成分は、前記生理用ナプキンの厚み方向において、前記ムスク系の香料成分が配置されている部位より非肌側に配置されていることを特徴とする生理用ナプキン。
【請求項６】
請求項１から５の何れか１項に記載の生理用ナプキンであって、
前記吸収コア及び前記肌側シートの少なくとも一方がその厚み方向に窪んでいる圧搾部を有し、
前記生理用ナプキンの平面視において、前記ムスク系の香料成分が配置されている領域は、前記圧搾部と重なる領域を有することを特徴とする生理用ナプキン。
【請求項７】
請求項１から６の何れか１項に記載の生理用ナプキンであって、
前記肌側シートはその厚み方向に貫通する開孔部を有し、
前記ムスク系の香料成分は、前記生理用ナプキンの厚み方向において、前記肌側シートの肌側面より非肌側に配置されていることを特徴とする生理用ナプキン。
【請求項８】
吸収コアと、
前記吸収コアより肌側に設けられた肌側シートと、
前記吸収コアより非肌側に設けられた非肌側シートと、
を有する生理用ナプキンであって、
ムスク系の香料成分と、抗菌成分と、を有することを特徴とする生理用ナプキン。
【請求項９】
吸収コアと、
前記吸収コアより肌側に設けられた肌側シートと、
前記吸収コアより非肌側に設けられた非肌側シートと、
を有する生理用ナプキンであって、
ムスク系の香料成分と、
少なくとも前記吸収コアがその厚み方向に窪んでいる圧搾部と、を有し、
前記生理用ナプキンの平面視において、前記ムスク系の香料成分が配置されている領域は、前記圧搾部と重なる領域を有することを特徴とする生理用ナプキン。
【請求項１０】
吸収コアと、
前記吸収コアより肌側に設けられた肌側シートと、
前記吸収コアより非肌側に設けられた非肌側シートと、
を有する生理用ナプキンであって、
ムスク系の香料成分を有し、
前記肌側シートはその厚み方向に貫通する開孔部を有し、
前記ムスク系の香料成分は、前記生理用ナプキンの厚み方向において、前記肌側シートの肌側面より非肌側に配置されていることを特徴とする生理用ナプキン。